(57)【要約】【課題】素材の形および加工が簡単で、夏場でも蒸れ難く、脱いだ後の処置および持ち運びが容易で、安価な防水スカートを得る。【解決手段】人間の腰周りよりも長い横幅と人間の足元を除く下半身を覆うことができる縦幅の防水シート１と、防水シート１の上端縁に重ね合わせて固着された紐３と、防水シート１の上端近くで紐３よりも下方の２箇所にそれぞれ防水シート１の表面と裏面に固着され互いに噛み合うことができる平面ファスナー４，５と、を有する。紐３は、一端部が防水シート１の横方向一端から延び出し、他端部が防水シート１の横幅方向途中から伸び出し、防水シート１を人間の腰周りに巻き付けた状態で紐３の両端部を結びつけることができる。２箇所の平面ファスナー４，５は、防水シート１を人間の腰周りに巻き付けた状態で少なくとも一部が重なることができるように横幅方向に長い。【選択図】図１
0003123103.tif 000002
【実用新案登録請求の範囲】
【請求項１】
人間の腰周りよりも長い横幅と人間の足元を除く下半身を覆うことができる縦幅の防水シートと、
防水シートの上端縁に重ね合わせて固着された紐と、
防水シートの上端近くでありかつ上記紐よりも下方の２箇所にそれぞれ防水シートの表面と裏面に固着されていて互いに噛み合うことができる平面ファスナーと、を有し、
上記紐は、一端部が防水シートの横方向一端から延び出し、他端部が防水シートの横幅方向途中から伸び出すことにより、防水シートを人間の腰周りに巻き付けた状態で紐の両端部を結びつけることができるようになっており、
上記２箇所の平面ファスナーは、防水シートを人間の腰周りに巻き付けた状態で少なくとも一部が重なることができるように横幅方向に長くなっている防水スカート。
【請求項２】
防水シートと紐の重ね合わせ部分の長さは、人間の腰周りよりも短い請求項１記載の防水スカート。
【請求項３】
請求項１または２記載の防水スカートと、傘と、これら防水スカートと傘を収納することができる袋とからなる防水スカートと傘のセットであって、防水スカートと傘の色または柄が同じである防水スカートと傘のセット。
【考案の詳細な説明】
【技術分野】
【０００１】
本考案は、雨の中を外出するときに下半身が雨で濡れるのを防止することができる防水スカートおよびこの防水スカートと傘のセットに関するものである。
【背景技術】
【０００２】
雨の中を外出する場合、通常は傘をさすことによって雨に濡れるのを避けている。傘をさすことによって主に上半身が雨に濡れることを防止することができるが、下半身が雨に濡れることを防止することは難しく、スカートやズボンなどが濡れることがある。
【０００３】
そこで、傘とともにレインコートを着用することが考えられる。しかし、レインコートの着用には、以下のような問題点がある。
（１）よほど丈の長いレインコートでない限り、足元が雨でぬれるのを防止することはできない。
（２）夏場にレインコートを着用すると、熱がこもって蒸し暑くなる。
（３）脱いだ後の処置、持ち運びが面倒である。
（４）レインコートは高価である。
【０００４】
上記のようなレインコートの問題点を解消するために各種の提案がなされている。その一例は、防水性の生地で作られ、上半部の一側がＶ状に開き、下半部が細くなった左右一対の筒型のモンペ半割体を形成し、両方のモンペ半割体の上辺の一端部どうしを重ね合わせた状態で両方のモンペ半割体の上辺全域にわたって腰帯を取り付けることにより、前部から股部にわたって開放するモンペ本体を形成し、モンペ本体に、腰帯の両端部付近およびその中間部付近を掴んでモンペ本体を肩から吊るすためのサスペンダーを取り付けてなる和服用雨除けモンペである（特許文献１参照）。
【０００５】
別の例は、長方形の防水性布地を横長に設けたスカートであって、裏面を内側にして上部を折返し縫いし、その内部にゴム紐を挿入してギャザを形成し、左右両端縁および裾縁も折返し縫いを施し、左右両端縁にはファスナーをその始端を上にしてそれぞれ縫い付け、左右両端縁寄り上端付近の内側に、スカート全体を折り畳んで収納するポケットをスカートに縫い付け、このポケットの開口部にリバーシブルファスナを取り付けて兼用収納袋とした携帯用レインスカートである（特許文献２参照）。
【０００６】
【特許文献１】特開２０００−２９０６４３号公報
【特許文献２】特開２０００−２９０６４３号公報
【０００７】
特許文献１記載の考案は、下半身が雨に濡れるのを防止するには効果的であるが、防水性の生地を複雑な形に切断する必要があるとともに、左右一対の筒型のモンペ半割体を形成する必要があり、これに加えてサスペンダーを取り付ける必要があるなど、構成が複雑であり、脱いだ後の処置や持ち運びが面倒である。また、左右一対の筒型のモンペ半割体に左右の足を通す必要があって、使用可能な場合が限定され、着脱が面倒であるという難点もある。
特許文献２記載の発明は、防水性布地の形状が単純であるという利点があるが、上部にギャザを形成し、左右両端縁にファスナーをその始端を上にして縫い付ける必要があるなど加工が面倒である。また、伸縮可能なギャザを形成することによって、使用者の腰周り寸法の相違に対応するようになっているが、使用者によって腰周り寸法は大きく異なっているから、腰周り寸法の小さい人にとっては締りのないものになり、腰周り寸法の大きい人にとっては窮屈になり、使い心地がよくない。左右両端縁のファスナーはスライドファスナが想定されているが、スライドファスナは左右を互いに結合するときの操作性が悪く、折り畳もうとするときの障害にもなる。
【考案の開示】
【考案が解決しようとする課題】
【０００８】
本考案は、以上のような従来技術の問題点を解消するためになされたもので、素材の形および加工が簡単で、夏場でも蒸れ難く、脱いだ後の処置および持ち運びが容易で、安価な防水スカートを提供することを目的とする。
本発明はまた、傘と合わせて携帯性を高めるとともに、使用時の美観を高めることができる防水スカートと傘のセットを提供することを目的とする。
【課題を解決するための手段】
【０００９】
本考案にかかる防水スカートは、人間の腰周りよりも長い横幅と人間の足元を除く下半身を覆うことができる縦幅の防水シートと、防水シートの上端縁に重ね合わせて固着された紐と、防水シートの上端近くでありかつ上記紐よりも下方の２箇所にそれぞれ防水シートの表面と裏面に固着されていて互いに噛み合うことができる平面ファスナーと、を有し、上記紐は、一端部が防水シートの横方向一端から延び出し、他端部が防水シートの横幅方向途中から伸び出すことにより、防水シートを人間の腰周りに巻き付けた状態で紐の両端部を結びつけることができるようになっており、上記２箇所の平面ファスナーは、防水シートを人間の腰周りに巻き付けた状態で少なくとも一部が重なることができるように横幅方向に長くなっていることを最も主要な特徴とする。
本考案にかかる防水スカートと傘のセットは、上記の防水スカートと、傘と、これら防水スカートと傘を収納することができる袋とからなる防水スカートと傘のセットであって、防水スカートと傘の色または柄が同じであることを特徴とする。
【考案の効果】
【００１０】
足元を除く下半身が防水シートで覆われるように防水シートを下半身に巻きつける。防水シートは人間の腰周りよりも長い横幅になっているので、腰周りを１周以上し、防水シートが互いに重なり合う部分があり、重なり合う部分において防水シートの表面と裏面に固着されている平面ファスナーが重なり合って互いに噛み合い、防水シートの重合部を結合する。２箇所の平面ファスナーは横幅方向に長くなっているため、使用者の腰周り寸法の大小に応じて、２箇所の平面ファスナーの重なり位置がずれながら、双方の重なり合いによる結合を維持することができる。２箇所の平面ファスナーを結合させた状態で、防水シートの上端縁に固着された紐の両端部を結び合わせながら適度に締め付けることによって、防水スカートを着用することができる。上記紐は、一端部が防水シートの横方向一端から延び出し、他端部が防水シートの横幅方向途中から伸び出しているため、上記のように防水シートを人間の腰周りに巻き付け、かつ、防水シートが互いに重なり合っていても、この重なり合っている部分に紐の端部が隠れることはないから、紐の両端部を容易に結び合わせることができるし、結び合わせても防水シートが乱れることもない。
【００１１】
防水シートは単純な四角形であり、これに紐と２つの平面ファスナーを固着すればよいので、素材および加工がきわめて簡単である。身体に着用する操作も外す操作も簡単である。防水シートを腰周りに巻き付けることによって着用するので、風通しがよく、夏場でも蒸し暑さを軽減することができる。使用しないときは、防水シートを折り畳むことによってコンパクトにすることができる。
【００１２】
上記の防水スカートと、傘と、これら防水スカートと傘を収納することができる袋とからなる防水スカートと傘のセットとし、防水スカートと傘の色または柄を同じにすれば、不使用時は、防水スカートと、折畳み式の傘を袋にコンパクトに収納することができ、使用時は、防水スカートと傘の色または柄が同じであるため、ファッション性が高まる。
【考案を実施するための最良の形態】
【００１３】
以下、本考案にかかる防水スカートおよび防水スカートと傘のセットの実施例を、図面を参照しながら説明する。
図１、図２において、符号１０は本考案にかかる防水スカートを示し、符号１は防水スカート１０の主体をなす防水シートを示す。防水シート１は、防水加工した布地、ビニルなどを素材とする四角形のシートで、横幅Ｗは人間の腰周りよりも長く、縦幅Ｈは人間の足元を除く下半身を覆うことができる長さになっている。防水シート１の上端縁は折り目２をつけて縫い付けられ、この折り目２に形成された袋内に紐３が通され、防水シート１とともに縫い付けられている。したがって、紐３は防水シート１の上端縁に重ね合わせて固着されている。紐３は防水シート１の横幅Ｗよりも長く、一端部（図１において右端部）が防水シート１の横方向一端から延び出し、他端部（図１において左端部）が防水シート１の横幅方向途中から伸び出している。図１は防水シート１の裏面、換言すれば、使用者の腰周りに巻きつけたとき内側になる面を示している。紐３の上記他端部は防水シート１の表面側から外方に伸び出ている。
【００１４】
防水シート１の上端近くであり、かつ、上記紐３よりも下方の２箇所に、平面ファスナー４，５が固着されている。一方の平面ファスナー４は、防水シート１の表面側に、図１において防水シート１の左端近くに固着されている。他方の平面ファスナー５は、防水シート１の裏面側に、図１において防水シート１の右端からある程度離れた位置に固着されている。防水シート１を、図１に示す面を内側にして使用者の腰周りに巻き付けたとき、二つの平面ファスナー４，５が重なり合い、互いに噛み合うことによって結合し、防水シート１の重合部を結合することができるようになっている。換言すれば、防水シート１を使用者の腰に巻きつけたとき、平面ファスナー４，５が重なり合うことができるように、平面ファスナー４，５が位置決めされている。ただし、防水シート１を使用者の腰に巻きつけたとき、平面ファスナー４，５が正確に重なり合う必要はなく、少なくとも一部が重なって相互に結合することができればよい。使用者の腰周り寸法はまちまちであるから、腰周り寸法のばらつきに対処できるように、平面ファスナー４，５は横幅方向に長くなっている。ただ、使用者の体格が大きく異なっていると、平面ファスナー４，５の横幅方向の長さの範囲内で対処することはできないし、防水シート１のサイズも合わなくなるので、防水スカート１０のサイズを、例えば、大、中、小というように分けて用意しておくとよい。
【００１５】
上記紐３は、図２に示すように防水シート１を使用者の腰周りに装着した状態で両端部を結ぶことによって防水シート１を使用者の腰に締め付け、防水シート１を着用した状態で脱落することを防止することができるようになっている。前述のように、防水シート１は横幅Ｗが使用者の腰周りよりも長くなっているため、防水シート１は使用者の腰周りを１周以上することになり、防水シート１が二重になる部分がある。防水シート１と紐３が重なり合って互いに固着されている部分が、上記防水シート１が二重になる部分にまで及んでいると、使用者が着用した状態で紐３の両端部を結びつける際に具合が悪く、うまく締め付けることができなくなる。そこで、防水シート１と紐３の重ね合わせ部分の長さＬは、人間の腰周りよりも短くなるように設定されている。
【００１６】
防水シート１の裏面側の略中央部には、収納袋６が縫い付けられている。収納袋６は四角形の上辺が出し入れ口６１となっていて、上辺のみが防水シート１に縫い付けられている。防水シート１を使用しないときは、防水シート１を折り畳み、折り畳んだ防水シート１を収納袋６に押し込むことによって収納することができる。収納袋６を尻当てとすることもできる。収納袋６を設けるかどうかは任意である。
【００１７】
以上説明した防水スカート１０の実施例の使用方法を説明する。使用者は、防水シート１を、図１に示す面を内側にして腰周りに巻きつける。二つの平面ファスナー４，５は、それらの少なくとも一部が重なるように位置決めしてあるので、互いに重ね合わせて結合させると、防水シート１を使用者の腰周りに仮止めした形になる。次に、紐３の両端部が接近しているので、これらを例えば使用者の前側で結んで締め付ける。こうして使用者は防水スカート１０を着用することができる。着用が不要になれば、上記の手順と逆の手順で防水スカート１０を脱ぐ。防水シート１は単純な四角形であるから、単純に折り畳んでコンパクトにすることができ、携帯するのに便利である。
【００１８】
本考案にかかる防水スカート１０は、防水シート１を使用者の腰周りに巻きつけて紐３で結ぶだけであるから、構成がきわめて簡単で、着脱も容易であり、安価な防水スカートを提供することができる。また、腰周りに巻きつけるだけであるから、着用している状態で通気性がよく、夏場でもレインコートのような蒸し暑さを感じることはない。スカートやズボンの上から着用しても、使用者の動作を阻害することはない。したがって、自転車やバイクなどに乗るときも着用することができ、膝やその周辺が雨に濡れることを防止することができる。不使用時はコンパクトに折りたたむことができ、携帯するのに便利である。
【００１９】
本考案にかかる防水スカートは、これを傘と組み合わせてセットにすると一層便利である。図３はその実施例を示す。図３において、防水スカート１０は折畳み式の傘８とセットになっていて、防水スカート１０と傘８は袋９に収納することができるようになっている。袋９は、防水スカート１０の収納区画１１と傘８の収納区画１２に区分されていて、それぞれの区画に防水スカート１０と傘８を収納することができるようになっている。防水スカート１０と傘８は同じ色または柄で作られている。例えば、防水スカート１０の防水シート１と傘８の柄を共通のチェックの柄にする、あるいは共通の色にする。こうすれば、防水スカート１０と傘８を使用しているとき、外観上両者に統一感が生じ、ファッショナブルな効果をもたせることができる。また、袋９も、防水スカート１０と傘８と同じ色または柄にするとなおよい。
なお、二つの平面ファスナー４，５のほかに、平面ファスナーを適宜付加してもよい。例えば、防水スカートを使用しているとき、すその部分がめくれるのを防止するために、重なり合ったすその部分を結合する平面ファスナーを設けてもよい。
本明細書において「平面ファスナー」とは、例えば、商品名「マジックテープ」のような平面同士がくっつきあうことによって対象物を結合することができ、また、引き離すことができる結合具を意味する。
【産業上の利用可能性】
【００２０】
本考案にかかる防水スカートおよび防水スカートと傘のセットは、例えば、観光バスの事業者が観光バスごとに用意しておくとよい。雨中のバス旅行中、車外に出て観光するとき、乗客に本考案にかかる防水スカートまたは防水スカートと傘のセットを貸与すれば、観光客にとってはありがたいサービスになる。
本考案にかかる防水スカートは、単に使用者の腰周りに巻きつけるだけであるから、和服を着用しているときにも使用することができる。
本考案にかかる防水スカートはまた、釣り船に乗って移動するとき水しぶきを受けるのを避けるために、あるいは悪天候時の釣で雨に濡れるのを避けるために着用することもできる。
【図面の簡単な説明】
【００２１】
【図１】本考案にかかる防水スカートの実施例を示す裏面図である。
【図２】上記実施例の使用例を示す側面図である。
【図３】本考案にかかる防水スカートと傘のセットの実施例を示す正面図である。
【符号の説明】
【００２２】
１    防水シート
３    紐
４    平面ファスナー
５    平面ファスナー
８    傘
９    袋
１０    防水スカート
【図１】
0003123103.tif 000003
【図２】
0003123103.tif 000004
【図３】
0003123103.tif 000005